(57)【要約】【課題】低粘度で流動性に優れた界面活性剤組成物を提供する。【解決手段】（Ａ）リン酸エステル又はその塩と、（Ｂ）グリセロールのアルキレンオキシド付加物とを含有する界面活性剤組成物。【選択図】なし【特許請求の範囲】
【請求項１】
（Ａ）リン酸エステル又はその塩と（Ｂ）グリセロールのアルキレンオキシド付加物とを含有する界面活性剤組成物。
【請求項２】
（Ａ）と（Ｂ）の質量比が、（Ｂ）／（Ａ）＝１／９９〜７０／３０である請求項１記載の界面活性剤組成物。
【請求項３】
（Ａ）が、下記が一般式（Ｉ）で表わされるリン酸モノエステル又はその塩（Ｉ）と下記一般式（II）で表わされるリン酸ジエステル又はその塩（II）とを、（Ｉ）／（II）＝１００／０〜５０／５０の質量比で含有する混合物である請求項１又は２記載の界面活性剤組成物。
【化１】
2008138075.tif 000004
（式中、Ｒ1、Ｒ2及びＲ3は、それぞれ炭素数８〜１８の炭化水素基をし、Ｘ1、Ｘ2及びＹ1は、それぞれ水素原子、アルカリ金属原子、アルカリ土類金属原子、塩基性アミノ酸残基、アルカノールアミンまたはアンモニウムを示し、平均付加モル数ｋ、ｍ及びｎは、それぞれ０〜１０の数を示す。）
【請求項４】
（Ｂ）が、炭素数２〜４のアルキレンオキシドの少なくとも１種が平均で１〜１００モル付加したグリセロールアルキレンオキシド付加物である請求項１〜３のいずれか記載の界面活性剤組成物。
【請求項５】
（Ｂ）が、グリセロールのエチレンオキシド付加物である請求項４記載の界面活性剤組成物。
【請求項６】
（Ｂ）が、グリセロールのプロピレンオキシド付加物であり、その平均付加モル数が２〜８である請求項４記載の界面活性剤組成物。
【請求項７】
更に、（Ｃ）グリセロールのアルキレンオキシド付加物のエステル体０〜１質量％を含有する請求項１〜６のいずれか記載の界面活性剤組成物。
【発明の詳細な説明】
【技術分野】
【０００１】
本発明は、洗浄剤、乳化剤、香粧品、化粧品等の分野で好適に使用しうる、界面活性剤組成物に関する。
【背景技術】
【０００２】
リン酸エステル系界面活性剤は、石鹸、アルキルエーテルサルフェート、アルキルサルフェート等に比べて皮膚や毛髪に対する刺激が低く、洗浄剤の成分として広く利用されている。またその特徴ゆえに、広範囲の他の陰イオン性界面活性剤や非イオン性界面活性剤、両性界面活性剤との混合系などの応用されている。
【０００３】
一般に、リン酸エステル塩の水溶液の粘度は、リン酸エステル塩濃度、つまり界面活性剤濃度を上げていくに従って増加する。界面活性剤濃度が約３０重量％を超えると、粘度が急激に増加し、取扱いが非常に困難となることから作業性、ハンドリング性に支障をきたす。
【０００４】
特許文献１には、リン酸モノエステルとリン酸ジエステルとの混合物からなるリン酸エステル系界面活性剤と、グリセリルエーテル又はプロピレングリコールやジプロピレングリコールといった多価アルコールとを含む洗浄剤組成物が粘度の上昇を生じない洗浄剤組成物として提案されている。
【０００５】
特許文献２には、リン酸エステルを含むアニオン界面活性剤と両性界面活性剤及びポリオキシエチレンポリオキシプロピレン多価アルコールエーテルを含有する使用感の優れた洗浄剤組成物が提案されている。
【０００６】
特許文献３には、モノエステル体／ジ及びトリエステル体／グリセリンのアルキレンオキシド付加物の混合物である部分グリセロールエステルのアルキレンオキシド付加物と、モノアルキルリン酸を含有する低刺激性、高起泡性で洗浄力に優れ、かつ良好な感触を有する低刺激性洗浄剤組成物が提案されている。
【特許文献１】特開昭２００５−３１４６１４号公報
【特許文献２】特開平５−１７９２８６号公報
【特許文献３】特開平８−８５８００号公報
【発明の開示】
【発明が解決しようとする課題】
【０００７】
特許文献１では、減粘剤としてグリセリルエーテル及び／又はジプロピレングリコール等の多価アルコールを配合しているが、その減粘効果は必ずしも満足の得られるものではなかった。また、特許文献２では、リン酸エステル等の界面活性剤の含有量が３０質量％以下の組成物に効果のある技術しか開示していない。また、特許文献３では、モノエステル体／ジ及びトリエステル体／グリセリンのアルキレンオキシド付加物の混合物である部分グリセロールエステルのアルキレンオキシド付加物を配合しているが、エステル体は必須成分として記載されており且つ減粘効果については記載されていない。
【０００８】
本発明の目的は、洗浄剤、乳化剤、香粧品、化粧品等の分野に好適に使用しうる、低粘度で流動性に優れた界面活性剤組成物を提供することである。
【課題を解決するための手段】
【０００９】
すなわち、本発明は、（Ａ）リン酸エステル又はその塩〔以下、（Ａ）成分という〕と（Ｂ）グリセロールのアルキレンオキシド付加物〔以下、（Ｂ）成分という〕とを含有する界面活性剤組成物を提供するものである。
【００１０】
更に、本発明は、（Ｃ）グリセロールのアルキレンオキシド付加物のエステル体〔以下、（Ｃ）成分という〕０〜１質量％を含有する、上記本発明の界面活性剤組成物を提供するものである。
【発明の効果】
【００１１】
本発明によれば、低粘度で流動性に優れ、作業性、ハンドリング性等が良好となる界面活性剤組成物を得ることができる。
【発明を実施するための最良の形態】
【００１２】
本発明に用いられる（Ａ）成分であるリン酸エステル又はその塩としては、特に限定されないが、従来より洗浄剤、乳化剤、香粧品、化粧品等の分野一般的に用いられているものであればいずれでも良い。
【００１３】
（Ａ）成分としては、下記一般式（Ｉ）で表わされるリン酸モノエステル又はその塩（Ｉ）と下記一般式（II）で表わされるリン酸ジエステル又はその塩（II）とを、（Ｉ）／（II）＝１００／０〜５０／５０の質量比で含有する混合物が好ましい。さらに好ましい質量比は、（Ｉ）／（II）＝１００／０〜６０／４０である。
【００１４】
【化２】
2008138075.tif 000002
【００１５】
（式中、Ｒ1、Ｒ2及びＲ3は、それぞれ炭素数８〜１８の炭化水素基をし、Ｘ1、Ｘ2及びＹ1は、それぞれ水素原子、アルカリ金属原子、アルカリ土類金属原子、塩基性アミノ酸残基、アルカノールアミンまたはアンモニウムを示し、平均付加モル数ｋ、ｍ及びｎは、それぞれ０〜１０の数を示す。）
【００１６】
前記一般式（Ｉ）又は（II）で表わされるリン酸エステルにおいて、Ｒ1、Ｒ2及びＲ3は、それぞれ炭素数８〜１８の炭化水素基を示すが、炭素数１０〜１６の炭化水素基が好ましい。炭化水素基は、アルキル基が好ましく、直鎖、分岐鎖の何れでもよい。Ｘ1、Ｘ2及びＹ1としては、アルカリ金属原子として、例えばリチウム、ナトリウム、カリウム等が、アルカリ土類金属原子として、例えばマグネシウム等が、塩基性アミノ酸残基として、例えばアルギニン、リジン、ヒスチジン、オルニチン等が、アルカノールアミンとして、例えばトリエタノールアミン、ジエタノールアミン、モノエタノールアミン等が挙げられ、カリウムやナトリウムなどのアルカリ金属原子またはアルカノールアミン（特にトリエタノールアミン）が特に好ましい。平均付加モル数ｋ、ｍおよびｎは、それぞれ０〜４が好ましい。（Ａ）成分であるリン酸エステル又はその塩の製造法としては、例えば、特開昭６１−１７５９４号公報の従来の技術に記載の方法等が挙げられる。
【００１７】
本発明の界面活性剤組成物は、（Ａ）成分を３０質量％以上、更に３０〜７０質量％含有することが好ましい。
【００１８】
本発明に用いられる（Ｂ）成分であるグリセロールのアルキレンオキシド付加物は、減粘剤として作用し、その製造法としては特に限定されないが、グリセロールに、アルキレン（炭素数２〜４）オキシド（以下、アルキレンオキシドをＡＯと表記する）、好ましくはエチレンオキシド（以下、ＥＯと表記する）を付加することで調製できる。平均付加モル数は１〜１００が好ましく、より好ましくは１〜３０である。また、プロピレンオキシド（以下ＰＯ）を付加した場合、その平均付加モル数は、２〜８が望ましい。平均付加モル数は、水酸基価より求める数平均分子量から求めることができる。
【００１９】
本発明の界面活性剤組成物は、（Ｂ）成分を１〜２０質量％、更に１〜１０質量％含有することが好ましい。
【００２０】
本発明において、（Ａ）成分と（Ｂ）成分の質量比は、界面活性剤としての機能を保持するとしての観点から（Ｂ）／（Ａ）＝１／９９〜７０／３０、更に１／９９〜２０／８０であることが好ましい。
【００２１】
更に、本発明の界面活性剤組成物は、（Ｃ）グリセロールのアルキレンオキシド付加物のエステル体〔以下、（Ｃ）成分という〕０〜１質量％を含有することができる。本発明に用いられる（Ｃ）成分であるグリセロールのＡＯ付加物のエステルの製造法としては特に限定されないが、グリセロールに、ＡＯ（炭素数２〜４）、好ましくはＥＯを付加した後、脂肪酸又は脂肪酸エステルとエステル化又はエステル交換を行うことで調製できる。
【００２２】
本発明において、（Ｃ）成分の含有量は、グリセロールのアルキレンオキシド付加物の減粘効果を阻害しないためには、組成物中、０〜１質量％が好ましく、更に０質量％が好ましい。
【００２３】
本発明の界面活性剤組成物中には、通常使用される、エタノール等の粘度調整剤、水を必要に応じて配合することができる。
【００２４】
本発明の界面活性剤組成物は、常法に従って製造できる。また、その剤型も特に制限されず、液体状、ペースト状、クリーム状など任意に剤型できる。
【００２５】
本発明の界面活性剤組成物は、２５℃の粘度が１４０ｍＰａ・ｓ以下、更に１１０ｍＰａ・ｓ以下であることが好ましい。この粘度は、ＢＬ型粘度計（株式会社  東京計器製造所）を用い、ローターＮｏ．２、６０ｒｐｍで、攪拌開始５分後に測定したものである。
【実施例】
【００２６】
実施例１〜７、比較例１〜３
表１に示す界面活性剤組成物を常法により調製し、２５℃で２４時間保存した後、粘度をＢＬ型粘度計（株式会社  東京計器製造所）を用い、ローターＮｏ．２、６０ｒｐｍで、攪拌開始５分後に測定した。結果を表１に示す。
【００２７】
【表１】
2008138075.tif 000003
【００２８】
表中、ＥＯｐはＥＯ平均付加モル数、ＰＯｐはプロピレンオキシド平均付加モル数である。